(57)【要約】［課題］配管の欠陥をより正確に検出すること。［解決手段］モデルデータ計算部１３３は、特定パラメータを変化させて設定された複数のモデル毎に、振動周波数および振動伝搬速度の理論値を互いに対応つけて計算する。モデル抽出部１３４は、振動周波数取得部１３１により取得される複数の振動周波数の測定値に対応する複数の振動伝搬速度の理論値および測定値の比較結果に基づいて、複数のモデルから特定モデルを抽出する。劣化判定部１３５は、モデル抽出部１３４により抽出された設定モデルに対応する特定パラメータに基づいて、配管９００の劣化状態を判定する。
2016194331.tif 000002
【特許請求の範囲】
【請求項１】
配管または前記配管内を流れる流体を伝搬する振動の周波数を、振動周波数の測定値として取得する振動周波数取得手段と、
前記配管または前記配管内を流れる流体を伝搬する振動の速度を、振動伝搬速度の測定値として測定する振動伝搬速度測定手段と、
前記配管に関するパラメータである設定パラメータを変化させて設定された複数のモデル毎に、前記振動周波数および前記振動伝搬速度の理論値を互いに対応つけて計算するモデルデータ計算手段と、
前記振動周波数取得手段により取得される複数の前記振動周波数の測定値に対応する複数の前記振動伝搬速度の理論値および測定値の比較結果に基づいて、前記複数のモデルから特定モデルを抽出するモデル抽出手段と、
前記モデル抽出手段により抽出された特定モデルに対応する設定パラメータに基づいて、前記配管の劣化状態を判定する劣化判定手段とを備えた劣化分析装置。
【請求項２】
前記設定パラメータは、前記配管のヤング率または前記配管の肉厚である請求項１に記載の劣化分析装置。
【請求項３】
前記設定パラメータは、前記配管内を流れる流体に関するパラメータを含む請求項１または２に記載の劣化分析装置。
【請求項４】
前記設定パラメータは、前記配管内に付着した付着物に関するパラメータを含む請求項１〜３のいずれか１項に記載の劣化分析装置。
【請求項５】
前記設定パラメータは、前記配管周辺の土砂に関するパラメータを含む請求項１〜４のいずれか１項に記載の劣化分析装置。
【請求項６】
前記配管に取り付けられ、前記配管または前記配管内を流れる流体に振動を加える加振手段と、前記配管または前記配管内を流れる流体を伝搬する振動を伝搬振動として検出する振動検出手段を備え、
前記振動伝搬速度測定手段は、前記振動が前記加振手段により前記配管または前記配管内を流れる流体に加えられた時間と、前記振動検出手段により前記伝搬振動が検出された時間との間の時間差と、前記加振手段および前記振動検出手段の間の距離に基づいて、前記振動伝搬速度を測定する請求項１〜５のいずれか１項に記載の劣化分析装置。
【請求項７】
前記配管に取り付けられ、前記配管または前記配管内を流れる流体に伝搬する振動を伝搬振動として検出する第１および第２の振動検出手段を備え、
前記振動伝搬速度測定手段は、前記第１の振動検出手段により前記伝搬振動が検出された時間と、前記第２の振動検出手段により前記伝搬振動が検出された時間との間の時間差と、前記第１および前記第２の振動検出手段の間の距離に基づいて、前記振動伝搬速度を測定する請求項１〜５のいずれか１項に記載の劣化分析装置。
【請求項８】
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する劣化分析方法。
【請求項９】
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
前記振動周波数取得ステップにより取得される複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する処理をコンピュータに行わせる劣化分析プログラムを記憶する記憶媒体。
【発明の詳細な説明】
【技術分野】
【０００１】
本発明は、劣化分析装置等に関し、例えば、肉厚減少や材質変化等の配管の劣化を検出するものに関する。
【背景技術】
【０００２】
近年、水道配管やガス配管や工業用配管（たとえば、石油のパイプラインや、工場内の各種オイル用配管）など、多数の配管が地中等に配置されている。配管が経年劣化等することにより、配管が脆くなったり、配管の肉厚が薄くなったりする。これにより、配管内を流れる流体が配管外へ漏洩したり、配管が破裂したりする場合がある。【０００３】
たとえば、水道配管が破裂した場合、当該水道配管の周辺地域に断水が生じうる。また、当該水道配管の周辺の家屋や道路が浸水する恐れもある。【０００４】
また、たとえば、ガスやオイルなどの可燃物を流す配管が破裂した場合、当該配管の周辺で火災や爆発が生じる恐れがある。また、配管を流れるオイルが当該配管の周辺土壌に流出して、土壌汚染が発生する恐れもある。【０００５】
これらの災害を防ぐため、配管の定期的な保守点検や、配管の定期的な交換が、必要となる。そのためには配管の劣化状態を把握する必要がある。【０００６】
配管の劣化を検出する方法として、地中に埋没されていない配管の場合、たとえば、超音波検査器などを用いる非破壊検査法を適用することができる。一方、地中に埋没されている配管に対しては、このような非破壊検査法を適用することはできない。【０００７】
地中に埋没されている配管の劣化を検出する方法として、たとえば、配管周辺の土壌の一部を除去して、配管を露出させてから、外観を観察したり、超音波肉厚計で配管の肉厚を計測したりする方法が、知られている。また、配管内に検査用のロボットを入れて、検査用のロボットを配管内で走行させながら、配管を検査する方法も、知られている。【０００８】
しかしながら、前者の方法では、地中から配管を掘り起こすために、多大な時間やコストがかかるという問題があった。また、後者の方法では、検査用のロボットを配管内に入れるため、配管の口径が大きな配管にしか適用ができないとともに、検査中に流体の搬送を停止する必要があった。【０００９】
これに対して、例えば、特許文献１および２には、配管の欠陥劣化を検出する技術の一例として、配管内を伝搬する振動の速度（音速）を測定し、音速の測定値と理論値を比較することにより、配管の肉厚を推定する技術が、開示されている。
【先行技術文献】
【特許文献】
【００１０】
【特許文献１】特表２００８−５４４２６０号公報
【特許文献２】特開２０１３−６１３５０号公報
【発明の概要】
【発明が解決しようとする課題】
【００１１】
特許文献１および２に記載の技術では、配管の円周方向の肉厚プロファイルと、配管内を伝搬する振動の速度（音速）との関係式を用いて、この音速に基づいた配管の肉厚を算出している。しかしながら、この方法では、配管への付着物や配管周辺の土砂が音速に与える影響を考慮できない。この結果、実際の音速および配管の肉厚の関係は、上述した関係式に適合しないという問題があった。すなわち、特許文献１および２で示された方法では、地中に埋没された配管の肉厚を正確に算出できず、配管の劣化を正確に検出できないという問題があった。【００１２】
本発明は、このような事情を鑑みてなされたものであり、本発明の目的は、配管の劣化をより正確に検出することができる劣化分析装置等を提供することにある。
【課題を解決するための手段】
【００１３】
本発明の劣化分析装置は、配管または前記配管内を流れる流体を伝搬する振動の周波数を、振動周波数の測定値として取得する振動周波数取得手段と、前記配管または前記配管内を流れる流体を伝搬する振動の速度を、振動伝搬速度の測定値として測定する振動伝搬速度測定手段と、前記配管に関するパラメータである設定パラメータを変化させて設定された複数のモデル毎に、前記振動周波数および前記振動伝搬速度の理論値を互いに対応つけて計算するモデルデータ計算手段と、前記振動周波数取得手段により取得される複数の前記振動周波数の測定値に対応する複数の前記振動伝搬速度の理論値および測定値の比較結果に基づいて、前記複数のモデルから特定モデルを抽出するモデル抽出手段と、前記モデル抽出手段により抽出された特定モデルに対応する設定パラメータに基づいて、前記配管の劣化状態を判定する劣化判定手段とを備えている。【００１４】
本発明の劣化分析方法は、配管または前記配管内を流れる流体を伝搬する振動の周波数を、振動周波数の測定値として取得し、前記配管または前記配管内を流れる流体を伝搬する振動の速度を、振動伝搬速度の測定値として測定し、前記配管に関するパラメータである設定パラメータを変化させて設定された複数のモデル毎に、前記振動周波数および前記振動伝搬速度の理論値を互いに対応つけて計算し、複数の前記振動周波数の測定値に対応する複数の前記振動伝搬速度の理論値および測定値の比較結果に基づいて、前記複数のモデルから特定モデルを抽出し、前記特定モデルに対応する設定パラメータに基づいて、前記配管の劣化状態を判定する。【００１５】
本発明の記憶媒体は、配管または前記配管内を流れる流体を伝搬する振動の周波数を、振動周波数の測定値として取得し、前記配管または前記配管内を流れる流体を伝搬する振動の速度を、振動伝搬速度の測定値として測定し、前記配管に関するパラメータである設定パラメータを変化させて設定された複数のモデル毎に、前記振動周波数および前記振動伝搬速度の理論値を互いに対応つけて計算し、前記振動周波数取得ステップにより取得される複数の前記振動周波数の測定値に対応する複数の前記振動伝搬速度の理論値および測定値の比較結果に基づいて、前記複数のモデルから特定モデルを抽出し、前記特定モデルに対応する設定パラメータに基づいて、前記配管の劣化状態を判定する処理をコンピュータに行わせる劣化分析プログラムを記憶する。
【発明の効果】
【００１６】
本発明にかかる劣化分析装置等によれば、配管の劣化をより正確に検出することができる。
【図面の簡単な説明】
【００１７】
【図１】本発明の第１の実施の形態における劣化分析装置の構成を示す図である。
【図２】配管および配管周辺の断面図である。
【図３】各モデルの特定パラメータの一例を示す図である。
【図４】設定パラメータを変化させた場合の各モデルの振動周波数および振動伝搬速度の関係を示す図である。
【図５】本発明の第１の実施の形態における劣化分析装置の動作フローを示す図である。
【図６】本発明の第２の実施の形態における劣化分析装置の構成を示す図である。
【図７】本発明の第３の実施の形態における劣化分析装置の構成を示す図である。
【発明を実施するための形態】
【００１８】
＜第１の実施の形態＞
本発明の第１の実施の形態における劣化分析装置１００の構成について説明する。
【００１９】
図１は、本発明の第１の実施の形態における劣化分析装置１００の構成を示す図である。
【００２０】
図１に示されるように、配管９００は、地中の土砂８００内に埋設されている。また、流体９１０（液体または気体）は、配管９００内を流れている。図１の例では、図１紙面の矢印Ａ１の方向に流れているものとする。なお、以下の説明では、流体９１０を水として説明する。
【００２１】
図１に示されるように、２つの消火栓９２０が配管９００に設けられている。これらの消火栓９２０から、水（流体９１０）を、配管９００の外部へ取り出すことができる。消火栓９２０は、マンホール７００の設置位置に、配置されている。消火栓９２０は、マンホール７００内にて、地中の土砂８００から露出されている。
【００２２】
図１に示されるように、劣化分析装置１００は、加振部１１０と、水圧センサ１２０と、処理部１３０とを備えている。水圧センサ１２０は、本発明の振動検出部に相当する。加振部１１０および水圧センサ１２０の間の距離をＤ１とする。加振部１１０および処理部１３０の間は、有線または無線により通信接続されている。同様に、水圧センサ１２０おび処理部１３０の間も、有線または無線により通信接続されている。
【００２３】
図１に示されるように、加振部１１０は、配管９００に取り付けられる。より具体的には、加振部１１０は、一方の消火栓９２０に取り付けられている。また、加振部１１０は、処理部１３０に、有線または無線により通信接続されている。加振部１１０は、配管９００内を流れる水（流体９１０）に振動を加える。換言すると、加振部１１０は、配管９００内を流れる水（流体９１０）に振動を励起する。加振部１１０は、周波数を変化させて、配管９００内を流れる水（流体９１０）に振動を加えることができる。すなわち、加振部１１０は、励起する周波数を変化させることができる。また、加振部１１０は、配管９００内を流れる水（流体９１０）に励起する振動と同期した信号を、処理部１３０へ出力する。加振部１１０は、設置箇所に常設されてよいし、あるいは所定期間設置されてもよい。
【００２４】
図１に示されるように、水圧センサ１２０は、配管９００に取り付けられている。より具体的には、水圧センサ１２０は、他方の消火栓９２０に取り付けられている。また、水圧センサ１２０は、処理部１３０に、有線または無線により通信接続されている。水圧センサ１２０は、配管９００および配管９００内を流れる水（流体９１０）を伝搬する振動を伝搬振動として検出する。水圧センサ１２０は、検出した伝搬振動を、出力信号に乗せて、処理部１３０へ出力する。水圧センサ１２０は、設置箇所に常設されて常時振動を検出してもよいし、あるいは所定期間設置されて間欠的に振動を検出してもよい。なお、上述の通り、水圧センサ１２０は、本発明の振動検出部に相当する。
【００２５】
加振部１１０および水圧センサ１２０は、配管９００の内壁面に取り付けられてもよい。さらに、加振部１１０および水圧センサ１２０は、配管９００に設置された弁栓等の付属物（不図示）の外表面や内部に設置されてもよい。加振部１１０および水圧センサ１２０を配管９００や配管９００の付属物に設置する方法としては、配管や付属物に設置された取水口へ専用治具を介して接続する方法などが考えられる。
【００２６】
図１に示されるように、処理部１３０は、加振部１１０および水圧センサ１２０に、有線または無線により接続されている。処理部１３０は、加振部１１０により出力される信号を、受信する。この信号は、上述の通り、配管９００内を流れる水（流体９１０）に励起する振動と同期した信号である。処理部１３０は、水圧センサ１２０により検出された伝搬振動を受信する。
【００２７】
図１に示されるように、処理部１３０は、振動周波数取得部１３１と、振動伝搬速度測定部１３２と、モデルデータ計算部１３３と、モデル抽出部１３４と、劣化判定部１３５とを備えている。
【００２８】
図１に示されるように、振動周波数取得部１３１は、処理部１３０内に設けられている。振動周波数取得部１３１は、配管９００および配管９００内を流れる水（流体９１０）を伝搬する振動の周波数を、振動周波数として取得する。具体的には、振動周波数取得部１３１は、加振部１１０により加えられる振動の周波数を、振動周波数として取得する。あるいは、振動周波数取得部１３１は、水圧センサ１２０により検出される伝搬振動の周波数を、振動周波数として取得する。
【００２９】
図１に示されるように、振動伝搬速度測定部１３２は、処理部１３０内に設けられている。振動伝搬速度測定部１３２は、配管９００および配管９００内を流れる水（流体９１０）を伝搬する振動の速度を、振動伝搬速度として測定する。より具体的には、振動伝搬速度測定部１３２は、加振部１１０からの信号と、水圧センサ１２０からの信号を比較することにより、両信号の時間差を測定する。すなわち、振動伝搬速度測定部１３２は、振動が加振部１１０により配管内９００を流れる水（流体９１０）に加えられた第１の時間と、水圧センサ１２０により伝搬振動が検出された第２の時間との間の時間差を、測定する。そして、振動伝搬速度測定部１３２は、この時間差と、２か所の消火栓９２０の間の距離（加振部１１０および水圧センサ１２０の間の距離Ｄ１と同じ）とに基づいて、振動伝搬速度を算出する。すなわち、振動伝搬速度測定部１３２は、測定された前記時間差と、加振部１１０および水圧センサ１２０の間の距離Ｄ１に基づいて、振動伝搬速度を測定する。前述の通り、加振部１１０は、周波数を変化させて、配管９００内を流れる水（流体９１０）に振動を加えることができる。したがって、振動伝搬速度測定部１３２は、加振部１１０により変化された振動周波数に対応して、複数の振動周波数毎の振動伝搬速度を測定する。なお、振動伝搬速度は、音速とも呼ばれる。
【００３０】
モデルデータ計算部１３３は、処理部１３０内に設けられている。モデルデータ計算部１３３は、複数のモデル毎に、振動周波数および振動伝搬速度の理論値を互いに対応つけて計算する。
【００３１】
図２は、配管９００および配管９００周辺のモデルを示す断面図である。図２に示されるモデルでは、配管９００の断面に対して垂直方向に沿って無限に続く構造を想定している。図２に示されるように、配管９００は、地中の土砂８００内に埋没されている。配管９００内には、水（流体９１０）で満たされている。また、付着物９４０が配管９００の内周壁面に形成されている。
【００３２】
モデルデータは、設定パラメータを変化させて設定された複数のモデル毎に、振動周波数および振動伝搬速度の理論値を互いに対応付けて設定されたものである。設定パラメータは、たとえば、配管９００に関するパラメータ（配管のヤング率、配管の肉厚、ポアソン比等）や、配管９００を流れる流体９１０に関するパラメータや、配管９００内に付着した付着物に関するパラメータや、配管９００周辺の土砂に関するパラメータである。
【００３３】
なお、図３に示した例示では、６種類の設定パラメータが設定されている。ここで、変化させる設定パラメータは１種類でも構わない。この場合、変化させる設定パラメータ以外は、固定値となる。
【００３４】
図３は、各モデルの設定パラメータの一例を示す図である。図４は、設定パラメータを変化させた場合の各モデルの振動周波数および振動伝搬速度の関係を示す図である。
【００３５】
モデル１について、配管９００に関するパラメータ（配管のヤング率ａ１、配管の肉厚ｂ１、ポアソン比ｃ１）や、配管９００を流れる流体９１０に関するパラメータｄ１や、配管９００内に付着した付着物に関するパラメータｅ１や、配管９００周辺の土砂に関するパラメータｆ１と設定した。同様に、モデル２について、配管９００に関するパラメータ（配管のヤング率ａ２、配管の肉厚ｂ２、ポアソン比ｃ２）や、配管９００を流れる流体９１０に関するパラメータｄ２や、配管９００内に付着した付着物に関するパラメータｅ２や、配管９００周辺の土砂に関するパラメータｆ２と設定した。さらに、モデル３について、配管９００に関するパラメータ（配管のヤング率ａ３、配管の肉厚ｂ３、ポアソン比ｃ３）や、配管９００を流れる流体９１０に関するパラメータｄ３や、配管９００内に付着した付着物に関するパラメータｅ３や、配管９００周辺の土砂に関するパラメータｆ３と設定した。モデル４について、配管９００に関するパラメータ（配管のヤング率ａ４、配管の肉厚ｂ４、ポアソン比ｃ４）や、配管９００を流れる流体９１０に関するパラメータｄ４や、配管９００内に付着した付着物に関するパラメータｅ４や、配管９００周辺の土砂に関するパラメータｆ４と設定した。
【００３６】
図３に示された各モデル１〜４について、縦軸を振動伝搬速度とし、横軸を振動周波数として、各モデルの振動周波数および振動伝搬速度の理論値の関係を、図４に示す。なお、図４内には、測定値１〜８が示されているが、この点については、後述する。
【００３７】
図４に示されるように、モデル１〜４のいずれにおいても、振動伝搬速度が、振動周波数に応じて、変化している。
【００３８】
図１に戻って、モデル抽出部１３４は、処理部１３０内に設けられている。モデル抽出部１３４は、振動周波数取得部１３１により取得される複数の振動周波数の測定値に対応する複数の振動伝搬速度の理論値および測定値の比較結果に基づいて、複数のモデルから特定モデルを抽出する。複数の振動伝搬速度の理論値は、前述の通り、モデルデータ計算部１３３により、複数の振動周波数の理論値と対応付けて、計算される。モデル抽出部１３４は、モデルデータ計算部１３３の計算結果から、振動周波数取得部１３１により取得される複数の振動周波数の測定値に対応する複数の振動伝搬速度の理論値を抽出する。そして、モデル抽出部１３４は、抽出した複数の振動伝搬速度の理論値と、振動伝搬速度測定部１３２により測定された複数の振動伝搬速度の測定値とを比較する。
【００３９】
そして、モデル抽出部１３４は、上記比較結果に基づいて、複数のモデルから特定モデルを抽出する。より具体的には、モデル抽出部１３４は、複数の振動伝搬速度の理論値および測定値が互いにより近似する場合、当該複数の振動伝搬速度の理論値に対応するモデルを、複数の特定モデルから抽出する。
【００４０】
図１に示されるように、劣化判定部１３５は、処理部１３０内に設けられている。劣化判定部１３５は、モデル抽出部１３４により抽出された特定モデルに対応する設定パラメータに基づいて、配管９００の劣化状態を判定する。
【００４１】
以上、劣化分析装置１００の構成を説明した。
【００４２】
次に、本発明の第１の実施の形態における劣化分析装置１００の動作について、説明する。
【００４３】
図５は、本発明の第１の実施の形態における劣化分析装置１００の動作フローを示す図である。
【００４４】
図５に示されるように、まず、振動周波数取得部１３１が、振動周波数を取得する（Ｓ１）。具体的には、振動周波数取得部１３１は、配管９００および配管９００内を流れる水（流体９１０）を伝搬する振動の周波数を、振動周波数として取得する。ここでは、振動周波数取得部１３１は、加振部１１０により加えられる振動の周波数を、振動周波数として取得する。あるいは、振動周波数取得部１３１は、水圧センサ１２０により検出される伝搬振動の周波数を、振動周波数として取得する。
【００４５】
つぎに、図５に示されるように、振動伝搬速度測定部１３２は、振動伝搬速度（音速）を測定する（Ｓ２）。具体的には、振動伝搬速度測定部１３２は、配管９００および配管９００内を流れる水（流体９１０）を伝搬する振動の速度を、振動伝搬速度として測定する。
【００４６】
ここでは、振動伝搬速度測定部１３２は、加振部１１０からの信号と、水圧センサ１２０からの信号を比較することにより、両信号の時間差を測定する。すなわち、振動伝搬速度測定部１３２は、振動が加振部１１０により配管内９００を流れる水（流体９１０）に加えられた第１の時間と、水圧センサ１２０により伝搬振動が検出された第２の時間との間の時間差を、測定する。
【００４７】
そして、振動伝搬速度測定部１３２は、この時間差と、２か所の消火栓９２０の間の距離（加振部１１０および水圧センサ１２０の間の距離Ｄ１と同じ）とに基づいて、振動伝搬速度を算出する。すなわち、振動伝搬速度測定部１３２は、測定された前記時間差と、加振部１１０および水圧センサ１２０の間の距離Ｄ１に基づいて、振動伝搬速度を測定する。前述の通り、加振部１１０は、周波数を変化させて、配管９００内を流れる水（流体９１０）に振動を加えることができる。したがって、振動伝搬速度測定部１３２は、加振部１１０により変化された振動周波数に対応して、複数の振動周波数毎の振動伝搬速度を測定する。
【００４８】
なお、図５の説明では、Ｓ２の処理はＳ１の処理の後に行うと、説明した。一方、Ｓ２の処理はＳ１の処理の前に行ってもよい。さらに、Ｓ１およびＳ２の処理を同時に行ってもよい。
【００４９】
また、Ｓ１で、振動周波数取得部１３１が複数の振動周波数を取得する。そして、Ｓ２で、振動伝搬速度測定部１３２が、振動周波数取得部１３１により取得された複数の振動周波数の各々に対応する振動伝搬速度を測定してもよい。図４に測定値の一例を示す。
【００５０】
図４に示されるように、振動周波数および振動伝搬速度について、測定値Ａ１〜Ａ８の８点の測定値を、振動周波数取得部１３１および振動伝搬速度測定部１３２により、取得する。
【００５１】
次に、図５に示されるように、モデル抽出部１３４が特定モデルを抽出する（Ｓ３）。具体的には、モデル抽出部１３４は、振動周波数取得部１３１により取得される複数の振動周波数の測定値に対応する複数の振動伝搬速度の理論値および測定値の比較結果に基づいて、複数のモデルから特定モデルを抽出する。この際、モデルデータ計算部１３３は、複数のモデル毎に、振動周波数および振動伝搬速度の理論値を互いに対応つけて計算する。モデル抽出部１３４は、モデルデータ計算部１３３の計算結果から、振動周波数取得部１３１により取得される複数の振動周波数の測定値に対応する複数の振動伝搬速度の理論値を抽出する。そして、モデル抽出部１３４は、抽出した複数の振動伝搬速度の理論値と、振動伝搬速度測定部１３２により測定された複数の振動伝搬速度の測定値とを比較する。そして、モデル抽出部１３４は、上記比較結果に基づいて、複数のモデルから特定モデルを抽出する。すなわち、モデル抽出部１３４は、複数の振動伝搬速度の理論値および測定値が互いにより近似する場合に、当該複数の振動伝搬速度の理論値に対応するモデルを複数の特定モデルから抽出する。
【００５２】
図４の例では、測定値Ａ１〜Ａ８は、モデル１〜４のうちで、モデル２に最も近い。このため、モデル抽出部１３４は、モデル２を特定モデルとして抽出する。
【００５３】
次に、図５に示されるように、劣化判定部１３５が配管９００の劣化状態を判定する（Ｓ４）。具体的には、劣化判定部１３５は、モデル抽出部１３４により抽出された特定モデルに対応する設定パラメータに基づいて、配管９００の劣化状態を判定する。
【００５４】
このとき、設定パラメータには、上述の通り、配管９００に関するパラメータ（配管のヤング率、配管の肉厚、ポアソン比）、配管９００を流れる流体９１０に関するパラメータ、配管９００内に付着した付着物に関するパラメータ、配管９００周辺の土砂に関するパラメータが設定されていた。劣化判定部１３５は、特定モデルに対応する設定パラメータの各数値を確認することにより、配管９００の劣化状態を判定する。
【００５５】
一般に配管９００の劣化により配管９００の肉厚が薄くなったり、ヤング率が低下したりすると、振動伝搬速度（音速）は低下する。一方、配管９００内部に付着物が堆積し、水（流体９１０）が通る断面積が狭くなると振動伝搬速度（音速）は増加する。すなわち、これらの２つのパラメータは、振動伝搬速度（音速）に逆の影響を与える。
【００５６】
配管９００の経年変化により当該配管９００が劣化し、かつ付着物が堆積した場合、２つのパラメータの変化による効果が相殺し、振動伝搬速度（音速）はほとんど変わらない場合もありうる。
【００５７】
振動伝搬速度（音速）の周波数依存性を考慮せず、１つの周波数帯のみで測定値と理論値を比較する場合、これらの２つのパラメータの変化による効果を分離することが困難である。一方、上記２つのパラメータの変化による効果は異なる周波数依存性を有する。このため、振動伝搬速度（音速）の周波数依存性を測定し、理論値と比較することがより好ましい。これにより、２つのパラメータの変換による効果を切り分けることが可能となる。同様に土砂の特性も振動伝搬速度（音速）に影響を与える。しかし、土砂に関するパラメータも設定パラメータに取り入れることにより、この影響を配管９００の特性の変化の影響と切り分けることができる。
【００５８】
上述の通り、図４の例では、モデル抽出部１３４は、モデル２を特定モデルとして抽出した。図３に示されるように、モデル２の設定パラメータは、配管９００に関するパラメータ（配管のヤング率ａ２、配管の肉厚ｂ２、ポアソン比ｃ２）、配管９００を流れる流体９１０に関するパラメータｄ２、配管９００内に付着した付着物に関するパラメータｅ２、配管９００周辺の土砂に関するパラメータｆ２と設定されている。
【００５９】
劣化判定部１３５は、モデル２の設定パラメータに基づいて、配管９００の状態を推定し、配管９００の劣化状態を判定する。
【００６０】
以上、本発明の第１の実施の形態における劣化分析装置１００の動作について、説明した。
【００６１】
以上のように、本発明の第１の実施の形態における劣化分析装置１００は、振動周波数取得部１３１と、振動伝搬速度測定部１３２と、モデルデータ計算部１３３と、モデル抽出部１３４と、劣化判定部１３５とを備えている。振動周波数取得部１３１は、配管９００および配管９００内を流れる流体９１０を伝搬する振動の周波数を、振動周波数の測定値として取得する。振動伝搬速度測定部１３２は、配管９００および配管９００内を流れる流体９１０を伝搬する振動の速度を、振動伝搬速度の測定値として測定する。モデルデータ計算部１３３は、配管９００に関するパラメータである設定パラメータを変化させて設定された複数のモデル毎に、振動周波数および振動伝搬速度の理論値を互いに対応つけて計算する。モデル抽出部１３４は、振動周波数取得部１３１により取得される複数の振動周波数の測定値に対応する複数の振動伝搬速度の理論値および測定値の比較結果に基づいて、複数のモデルから特定モデルを抽出する。劣化判定部１３５は、モデル抽出部１３４により抽出された特定モデルに対応する設定パラメータに基づいて、配管９００の劣化状態を判定する。
【００６２】
このように、モデルデータ計算部１３３は、配管９００に関するパラメータである設定パラメータを変化させて設定された複数のモデル毎に、振動周波数および振動伝搬速度の理論値を互いに対応つけて計算する。そして、モデル抽出部１３４は、振動周波数取得部１３１により取得される複数の振動周波数の測定値に対応する複数の振動伝搬速度の理論値および測定値の比較結果に基づいて、複数のモデルから特定モデルを抽出する。すなわち、モデル抽出部１３４は、複数の振動周波数において、振動伝搬速度の測定値により近い理論値が設定されたモデルを、特定モデルとして抽出する。この結果、モデル抽出部１３４は、配管９００の実態により近いモデルを特定モデルで推定することができる。また、劣化判定部１３５は、モデル抽出部１３４により抽出された特定モデルに対応する設定パラメータに基づいて、配管９００の劣化状態を判定する。すなわち、劣化判定部１３５は、配管９００の実態により近い特定モデルに対応する設定パラメータを用いて、配管９００の欠陥の有無を判定することができる。したがって、劣化分析装置１００によれば、配管９００の劣化状態をより正確に検出することができる。
【００６３】
劣化分析装置１００によれば、設定パラメータに、たとえば、配管に関するパラメータや、配管９００内を流れる流体９１０に関するパラメータや、配管９００内に付着した付着物に関するパラメータ等を設定することができる。これにより、例えば、２つの埋設配管９１０の振動伝搬速度（音速）を測定した場合、それが配管９１０の状態（肉厚やヤング率）の違いによるものか、周辺の土壌や付着物の違いによるものかを切り分けられる。たとえば、配管周辺の土砂に関するパラメータが変化していても、配管９００に関するパラメータが変化していなければ、配管９００に劣化が生じていないと判断する。なお、水のパラメータについては、通常は理論値を用いて固定とすることができる。
【００６４】
また、本発明の第１の実施の形態における劣化分析装置１００において、設定パラメータは、配管９００のヤング率または配管９００の肉厚であってもよい。
【００６５】
本発明の第１の実施の形態における劣化分析装置１００は、加振部１１０と、振動検出部（水圧センサ１２０）を備えている。加振部１１０は、配管９００に取り付けられている。加振部１１０は、配管９００内を流れる流体９１０に振動を加える。振動検出部（水圧センサ１２０）は、配管９００および配管９００内を流れる流体９１０を伝搬する振動を伝搬振動として検出する。そして、振動伝搬速度測定部１３２は、後述の第１の時間と、後述の第２の時間との間の時間差と、加振部１１０および振動検出部１２０の間の距離に基づいて、振動伝搬速度を測定する。第１の時間は、振動が加振部１１０により配管９００内を流れる流体９１０に加えられた時間である。第２の時間は、振動検出部（水圧センサ１２０）により伝搬振動が検出された第２の時間である。これにより、振動伝搬速度を測定することができる。
【００６６】
本発明の第１の実施の形態における劣化分析装置１００において、振動検出部（水圧センサ１２０）は、配管９００内を流れる流体９１０の圧力を検出する圧力センサである。振動検出部（水圧センサ１２０）は、検出される圧力に基づいて伝搬振動を検出する。これにより、振動伝搬速度を測定することができる。
【００６７】
本発明の第１の実施の形態における劣化分析方法は、振動周波数取得ステップと、振動伝搬速度測定ステップと、モデルデータ計算ステップと、モデル抽出ステップと、劣化判定ステップとを含んでいる。振動周波数取得ステップでは、配管９００および配管９００内を流れる流体９１０を伝搬する振動の周波数を、振動周波数の測定値として取得する。振動伝搬速度測定ステップでは、配管９００および配管９００内を流れる流体９１０を伝搬する振動の速度を、振動伝搬速度の測定値として測定する。モデルデータ計算ステップでは、配管９００に関するパラメータである設定パラメータを変化させて設定された複数のモデル毎に、振動周波数および振動伝搬速度の理論値を互いに対応つけて計算する。モデル抽出ステップでは、振動周波数取得ステップにより取得される複数の振動周波数の測定値に対応する複数の振動伝搬速度の理論値および測定値の比較結果に基づいて、複数のモデルから特定モデルを抽出する。劣化判定ステップでは、モデル抽出部１３４により抽出された特定モデルに対応する設定パラメータに基づいて、配管９００の劣化状態を判定する。
【００６８】
この劣化分析方法によっても、前述した劣化分析装置１００がなし得た効果を奏することができる。
【００６９】
また、本発明の第１の実施の形態における劣化分析プログラムは、前述の振動周波数取得ステップと、振動伝搬速度測定ステップと、モデルデータ計算ステップと、モデル抽出ステップと、劣化判定ステップとを含む処理をコンピュータに行わせる。
【００７０】
この劣化分析プログラムによっても、前述した劣化分析装置１００がなし得た効果を奏することができる。
【００７１】
また、本発明の第１の実施の形態における記憶媒体は、前述の振動周波数取得ステップと、振動伝搬速度測定ステップと、モデルデータ計算ステップと、モデル抽出ステップと、劣化判定ステップとを含む処理をコンピュータに行わせる劣化分析プログラムを記憶する。
【００７２】
この記憶媒体によっても、前述した劣化分析装置１００がなし得た効果を奏することができる。
【００７３】
＜第２の実施の形態＞
本発明の第２の実施の形態における劣化分析装置１００Ａの構成について説明する。
【００７４】
図６は、本発明の第２の実施の形態における劣化分析装置１００Ａの構成を示す図である。なお、図６では、図１〜５に示した各構成要素と同等の構成要素には、図１〜５に示した符号と同等の符号を付している。
【００７５】
図６に示されるように、配管９００Ａの中央部は、地中の土砂８００内に埋設されている。また、流体９１０（液体または気体）は、配管９００Ａ内を流れている。図６の例では、図６紙面の矢印Ａ２の方向に流れているものとする。なお、以下の説明では、流体９１０をオイルとして説明する。
【００７６】
図６に示されるように、４箇所の屈曲部９０１が配管９００Ａに形成されている。これにより、図６において、配管９００Ａの中央部は、地中の土砂８００内に埋設される。図６において、配管９００Ａの両端部は、地表上に露出されている。
【００７７】
図６に示されるように、劣化分析装置１００Ａは、加速度センサ１４０ａ、１４０ｂと、処理部１３０とを備えている。加速度センサ１４０ａ、１４０ｂは、本発明の振動検出部、第１の振動検出部または第２の振動検出部に相当する。加速度センサ１４０ａおよび加速度センサ１４０ｂの間の距離をＤ２とする。加速度センサ１４０ａおよび処理部１３０の間は、有線または無線により通信接続されている。同様に、加速度センサ１４０ｂおよび処理部１３０の間も、有線または無線により通信接続されている。
【００７８】
図６に示されるように、加速度センサ１４０ａ、１４０ｂは、配管９００Ａに取り付けられる。より具体的には、加速度センサ１４０ａは、図６において、配管９００Ａの右端部の露出部分に、取り付けられている。加速度センサ１４０ｂは、図６において、配管９００Ａの左端部の露出部分に、取り付けられている。
【００７９】
加速度センサ１４０ａ、１４０ｂは、配管９００Ａおよび配管９００Ａ内を流れるオイル（流体９１０）を伝搬する振動を伝搬振動として検出する。たとえば、ハンマー（不図示）により配管９００Ａに衝撃を与える。このときの衝撃の大きさは、配管９００Ａを破損しない程度にする。配管９００Ａに加えられた衝撃は、配管９００Ａおよび配管９００Ａ内を流れるオイル（流体９１０）を伝搬し、２つの加速度センサ１４０ａ、１４０ｂを加振する。これにより、加速度センサ１４０ａ、１４０ｂには、加速度が加えられる。加速度センサ１４０ａ、１４０ｂは、検出した伝搬振動を、出力信号に乗せて、処理部１３０へ出力する。すなわち、加速度センサ１４０ａ、１４０ｂは、加速度の大きさに応じた信号を伝搬振動として、出力信号に乗せて、処理部１３０へ出力する。
【００８０】
加速度センサ１４０ａ、１４０ｂは、設置箇所に常設されて常時振動を検出してもよいし、あるいは所定期間設置されて間欠的に振動を検出してもよい。なお、上述の通り、加速度センサ１４０ａ、１４０ｂは、本発明の振動検出部、第１の振動検出部または第２の振動検出部に相当する。
【００８１】
ここで、第１の実施の形態では、流体９１０を水とし、水圧センサ１２０を振動検出部として用いていた。この水圧センサ１２０を用いる場合、当該水圧センサ１２０を直接的に水（流体９１０）に接触させる必要があった。一方、本実施の形態のように、流体９１０にオイルを用いる場合、オイルが配管９００Ａの外部に浸透することや、オイルが加熱されて配管９００Ａで爆発することを、防止する必要がある。このため、流体９１０にオイルを用いる場合、流体９１０に直接的に接触させる必要がある水圧センサ１２０を、使用することは好ましくない。そこで、本実施の形態では、第１および第２の振動検出部として、配管９００Ａの外部から振動を検出できる加速度センサ１４０ａ、１４０ｂを用いた。これにより、流体９１０にオイルを用いる場合に生じうる上記問題を回避した。
【００８２】
なお、加速度センサ１４０ａ、１４０ｂは、配管９００Ａに設置されたフランジ（不図示）や、弁栓等の付属物（不図示）の外表面に設置されてもよい。加速度センサ１４０ａ、１４０ｂを配管９００Ａや配管９００Ａの付属物に設置する方法としては、例えば磁石の利用、専用冶具の利用、接着剤の利用が考えられる。
【００８３】
図６に示されるように、処理部１３０は、加速度センサ１４０ａ、１４０ｂの各々に、有線または無線により接続されている。処理部１３０は、加速度センサ１４０ａ、１４０ｂにより出力される信号を、受信する。
【００８４】
図６に示されるように、処理部１３０は、振動周波数取得部１３１と、振動伝搬速度測定部１３２と、モデルデータ計算部１３３と、モデル抽出部１３４と、劣化判定部１３５とを備えている。図６の処理部１３０の構成は、図１の処理部１３０の構成と同様である。ただし、図６の処理部１３０内の各部の機能は、図１の処理部１３０内の各部の機能と若干異なる場合もある。この違いについては、以下の劣化分析装置１００Ａの動作説明にて、詳しく説明する。
【００８５】
以上、劣化分析装置１００Ａの構成を説明した。
【００８６】
次に、本発明の第２の実施の形態における劣化分析装置１００Ａの動作について、説明する。劣化分析装置１００Ａの動作フローは、図５と同じである。したがって、図５を流用して、劣化分析装置１００Ａを説明する。なお、第１の実施の形態における劣化分析装置１００と同様の動作等については、簡単な説明とする。
【００８７】
図５に示されるように、まず、振動周波数取得部１３１が、振動周波数を取得する（Ｓ１）。具体的には、振動周波数取得部１３１は、配管９００および配管９００内を流れるオイル（流体９１０）を伝搬する振動の周波数を、振動周波数として取得する。ここでは、まず、ハンマー（不図示）により配管９００Ａに衝撃を与える。配管９００Ａに加えられた衝撃は、配管９００Ａおよび配管９００Ａ内を流れるオイル（流体９１０）を伝搬し、２つの加速度センサ１４０ａ、１４０ｂを加振する。これにより、加速度センサ１４０ａ、１４０ｂには、加速度が加えられる。加速度センサ１４０ａ、１４０ｂは、検出した伝搬振動を、出力信号に乗せて、処理部１３０へ出力する。すなわち、加速度センサ１４０ａ、１４０ｂは、加速度の大きさに応じた信号を伝搬振動として、出力信号に乗せて、処理部１３０へ出力する。
【００８８】
ハンマーにより配管９００Ａに加えられた衝撃は、広い周波数範囲に渡る連続的な周波数スペクトルを有している。すなわち複数の振動周波数を含んでいる。したがって、第１の実施の形態で行ったように、加振部１１０の振動周波数を順次変化させ、それぞれの周波数に対する振動伝搬速度を測定することはできない。しかし数学的な解析、例えば窓付きフーリエ解析やウェーブレット解析などを用いることにより、加速度センサ１４０ａ、１４０ｂの加速度データから振動検出時間の周波数依存性を算出することができる。これにより、複数の周波数スペクトルに対応する振動伝搬速度を得ることができる。この場合、振動周波数取得部１３１による振動周波数を取得（Ｓ１）と、振動伝搬速度測定部１３２による振動伝搬速度（音速）の取得（Ｓ２）が同時に行われることとなる。
【００８９】
図４の測定値の一例についても、本実施の形態で流用する。図４に示されるように、振動周波数および振動伝搬速度について、測定値Ａ１〜Ａ８の８点の測定値を、振動周波数取得部１３１および振動伝搬速度測定部１３２により、取得する。
【００９０】
次に、図５に示されるように、モデル抽出部１３４が特定モデルを抽出する（Ｓ３）。このＳ３の処理の詳細については、第１の実施の形態と同様である。したがって、Ｓ３の処理について、詳細な説明を省略する。ここでも、第１の実施の形態と同様に、図６の例において、モデル抽出部１３４は、モデル２を特定モデルとして抽出するものとする。
【００９１】
次に、図５に示されるように、劣化判定部１３５が配管９００の劣化状態を判定する（Ｓ４）。このＳ４の処理の詳細については、第１の実施の形態と同様である。したがって、Ｓ４の処理について、詳細な説明を省略する。
【００９２】
上述の通り、図４の例では、モデル抽出部１３４は、モデル２を特定モデルとして抽出する。図３に示されるように、モデル２の設定パラメータは、配管９００に関するパラメータ（配管のヤング率ａ２、配管の肉厚ｂ２、ポアソン比ｃ２）、配管９００を流れる流体９１０に関するパラメータｄ２、配管９００内に付着した付着物に関するパラメータｅ２、配管９００周辺の土砂に関するパラメータｆ２と設定されている。
【００９３】
劣化判定部１３５は、モデル２の特定パラメータに基づいて、配管９００の状態を推定し、配管９００の欠陥が生じているか否かを判断する。
【００９４】
以上、本発明の第２の実施の形態における劣化分析装置１００Ａの動作について、説明した。
【００９５】
以上の通り、本発明の第２の実施の形態における劣化分析装置１００Ａは、加速度センサ１４０ａ、１４０ｂ（第１および第２の振動検出部）を備えている。加速度センサ１４０ａ、１４０ｂは、配管９００Ａに取り付けられている。加速度センサ１４０ａ、１４０ｂは、配管９００Ａおよび配管９００Ａ内を流れる流体に伝搬する振動を伝搬振動として検出する。振動伝搬速度測定部１３２は、加速度センサ１４０ａにより伝搬振動が検出された時間と、加速度センサ１４０ｂにより伝搬振動が検出された時間との間の時間差と、距離Ｄ２に基づいて、振動伝搬速度を測定する。なお、距離Ｄ２は、加速度センサ１４０ａおよび加速度センサ１４０ｂの間の距離である。このような構成でも、振動伝搬速度を測定することもできる。
【００９６】
また、本発明の第２の実施の形態における劣化分析装置１００Ａにおいて、加速度センサ１４０ａ、１４０ｂ（第１および第２の振動検出部）は、配管９００Ａおよび配管９００Ａ内を流れる流体の加速度を検出する加速度センサである。加速度センサ１４０ａ、１４０ｂは、検出される加速度に基づいて伝搬振動を検出する。このような構成でも、伝搬振動を検出できる。
【００９７】
＜第３の実施の形態＞
本発明の第３の実施の形態における劣化分析装置１００Ｂの構成について説明する。
【００９８】
図７は、本発明の第３の実施の形態における劣化分析装置１００Ｂの構成を示す図である。なお、図７では、図１〜６に示した各構成要素と同等の構成要素には、図１〜６に示した符号と同等の符号を付している。
【００９９】
図７に示されるように、配管９００Ｂは、地中の土砂８００内に埋設されている。また、流体９１０（液体または気体）は、配管９００Ｂ内を流れている。図７の例では、図７紙面の矢印Ａ３の方向に流れているものとする。なお、以下の説明では、流体９１０を水として説明する。
【０１００】
図７に示されるように、２つの消火栓９２０が配管９００に設けられている。消火栓９２０は、マンホール７００の設置位置に、配置されている。消火栓９２０は、マンホール７００内にて、地中の土砂８００から露出されている。
【０１０１】
２つの消火栓９２０のうちで、図７紙面右側の消火栓９２０には、吐出口９５０が設けられている。この吐出口９５０は、消火栓９２０に設けられた開口である。この吐出口９５０から、水（流体９１０）を、配管９００Ｂの外部へ取り出すことができる。
【０１０２】
また、２つの消火栓９２０のうちで、図７紙面右側の消火栓９２０には、電磁弁９６０が取り付けられている。より具体的には、電磁弁９６０は、消火栓９２０と吐出口９５０の間に、設けられている。電磁弁９６０は、外部からの信号によって、開閉される。
【０１０３】
また、２つの消火栓９２０のうちで、図７紙面右側の消火栓９２０には、さらに加速度センサ１４０が取り付けられている。加速度センサ１４０は、処理部１３０に、有線または無線により通信接続されている。
【０１０４】
図７に示されるように、劣化分析装置１００Ｂは、水圧センサ１２０と、加速度センサ１４０と、処理部１３０とを備えている。水圧センサ１２０および加速度センサ１４０は、本発明の振動検出部、第１の振動検出部または第２の振動検出部に相当する。
【０１０５】
水圧センサ１２０および加速度センサ１４０の間の距離をＤ３とする。水圧センサ１２０および処理部１３０の間は、有線または無線により通信接続されている。同様に、加速度センサ１４０および処理部１３０の間も、有線または無線により通信接続されている。
【０１０６】
図７に示されるように、水圧センサ１２０および加速度センサ１４０は、配管９００Ｂに取り付けられる。より具体的には、水圧センサ１２０は、図７において、配管９００Ｂの右側の消火栓９２０に、取り付けられている。加速度センサ１４０は、図７において、配管９００Ｂの左側の消火栓９２０に、取り付けられている。
【０１０７】
水圧センサ１２０および加速度センサ１４０は、配管９００Ｂおよび配管９００Ｂ内を流れる水（流体９１０）を伝搬する振動を伝搬振動として検出する。
【０１０８】
たとえば、電磁弁９６０の開閉状態を急激に変化させる。すなわち、電磁弁９６０を急激に開から閉、もしくは閉から開へと状態を変化させる。これにより、吐出口９５０から放出される水（流体９１０）の流れが急激に変化する。この結果、振動が、配管９００Ｂおよび配管９００Ｂ内を流れる水（流体９１０）を介して、水圧センサ１２０および加速度センサ１４０に伝搬する。これにより、水圧センサ１２０および加速度センサ１４０に、振動が加えられる。そして、水圧センサ１２０および加速度センサ１４０は、この振動を伝搬振動として検出する。さらに、水圧センサ１２０および加速度センサ１４０は、検出した伝搬振動を、出力信号に乗せて、処理部１３０へ出力する。すなわち、水圧センサ１２０および加速度センサ１４０は、振動の大きさに応じた信号を伝搬振動として、出力信号に乗せて、処理部１３０へ出力する。
【０１０９】
水圧センサ１２０および加速度センサ１４０は、設置箇所に常設されて常時振動を検出してもよいし、あるいは所定期間設置されて間欠的に振動を検出してもよい。なお、上述の通り、水圧センサ１２０および加速度センサ１４０は、本発明の振動検出部、第１の振動検出部または第２の振動検出部に相当する。
【０１１０】
図７に示されるように、処理部１３０は、水圧センサ１２０および加速度センサ１４０の各々に、有線または無線により接続されている。処理部１３０は、水圧センサ１２０および加速度センサ１４０により出力される信号を、受信する。
【０１１１】
図７に示されるように、処理部１３０は、振動周波数取得部１３１と、振動伝搬速度測定部１３２と、モデルデータ計算部１３３と、モデル抽出部１３４と、劣化判定部１３５とを備えている。図７の処理部１３０の構成は、図１の処理部１３０の構成と同様である。ただし、図７の処理部１３０内の各部の機能は、図１の処理部１３０内の各部の機能と若干異なる場合もある。この違いについては、以下の劣化分析装置１００Ｂの動作説明にて、詳しく説明する。
【０１１２】
以上、劣化分析装置１００Ｂの構成を説明した。
【０１１３】
次に、本発明の第３の実施の形態における劣化分析装置１００Ｂの動作について、説明する。劣化分析装置１００Ｂの動作フローは、図５と同じである。したがって、図５を流用して、劣化分析装置１００Ｂを説明する。なお、第１の実施の形態における劣化分析装置１００と同様の動作等については、説明を省略する。
【０１１４】
Ｓ１、Ｓ２の処理に関連して、ここでは、まず、電磁弁９６０の開閉状態を急激に変化させる。すなわち、電磁弁９６０を急激に開から閉、もしくは閉から開へと状態を変化させる。これにより、吐出口９５０から放出される水（流体９１０）の流れが急激に変化する。この結果、振動が生じ、配管９００Ｂおよび配管９００Ｂ内を流れる水（流体９１０）に、伝搬する。これにより、水圧センサ１２０および加速度センサ１４０に、振動が加えられる。
【０１１５】
そして、水圧センサ１２０および加速度センサ１４０は、この振動を伝搬振動として検出する。さらに、水圧センサ１２０および加速度センサ１４０は、検出した伝搬振動を、出力信号に乗せて、処理部１３０へ出力する。すなわち、水圧センサ１２０および加速度センサ１４０は、振動の大きさに応じた信号を伝搬振動として、出力信号に乗せて、処理部１３０へ出力する。
【０１１６】
吐出口９５０から放出される水（流体９１０）の流れの急激に変化により、第２の実施の形態で述べたハンマーでの加振の場合と同様に、水中に連続的な周波数スペクトルを有する振動が励起される。したがって、ここでも第２の実施の形態と同様に数学的な解析により、水圧センサ１２０および加速度センサ１４０のデータから振動検出時間の周波数依存性を算出し、複数の周波数スペクトルに対応する振動伝搬速度を得る。
【０１１７】
図４の測定値の一例についても、本実施の形態で流用する。図４に示されるように、振動周波数および振動伝搬速度について、測定値Ａ１〜Ａ８の８点の測定値を、振動周波数取得部１３１および振動伝搬速度測定部１３２により、取得する。
【０１１８】
Ｓ３では、図５に示されるように、モデル抽出部１３４が特定モデルを抽出する（Ｓ３）。このＳ３の処理の詳細については、第１の実施の形態と同様である。したがって、Ｓ３の処理について、詳細な説明を省略する。ここでも、第１の実施の形態と同様に、図６の例において、モデル抽出部１３４は、モデル２を特定モデルとして抽出するものとする。
【０１１９】
次に、図５に示されるように、劣化判定部１３５が配管９００Ｂの劣化を判定する（Ｓ４）。このＳ４の処理の詳細については、第１の実施の形態と同様である。したがって、Ｓ４の処理について、詳細な説明を省略する。
【０１２０】
上述の通り、図４の例では、モデル抽出部１３４は、モデル２を特定モデルとして抽出した。図３に示されるように、モデル２の特定パラメータは、配管９００Ｂに関するパラメータ（配管のヤング率ａ２、配管の肉厚ｂ２、ポアソン比ｃ２）、配管９００Ｂを流れる流体９１０に関するパラメータｄ２、配管９００内に付着した付着物に関するパラメータｅ２、配管９００Ｂ周辺の土砂に関するパラメータｆ２と設定されている。
【０１２１】
劣化判定部１３５は、モデル２の特定パラメータに基づいて、配管９００Ｂの状態を推定し、配管９００Ｂの劣化状態を判定する。
【０１２２】
ここで、本実施の形態では、第１の実施の形態と異なり、振動周波数を変更できる加振器１１０を用いていない。このため、本実施の形態における劣化分析装置１００Ｂの構成を、第１の実施の形態における劣化分析装置１００と比較して、簡単にすることができる。また、第２の実施の形態では、ハンマー（不図示）を用いて、間接的に振動を流体９１０に励起していた。これに対して、本実施の形態では、第２の実施の形態と異なり、振動を水（流体９１０）に直接的に励起することができる。このため、本実施の形態における劣化分析装置１００Ｂでは、第２の実施の形態と比較して、配管９００Ｂへの負荷を抑えることができるとともに、長距離まで伝搬可能で強い振動を流体９１０中に生じさせることができる。
【０１２３】
以上、本発明の第３の実施の形態における劣化分析装置１００Ｂの動作について、説明した。
【０１２４】
以上の通り、本発明の第３の実施の形態における劣化分析装置１００Ｂにおいて、加速度センサ１４０（振動検出部）は、配管９００Ｂの加速度を検出する加速度センサである。加速度センサ１４０は、検出される加速度に基づいて伝搬振動を検出する。このような構成でも、伝搬振動を検出できる。
【０１２５】
また、本発明の第３の実施の形態における劣化分析装置１００Ｂにおいて、水圧センサ１２０（振動検出部）は、配管９００Ｂ内を流れる流体の圧力を検出する圧力センサである。水圧センサ１２０は、検出される圧力に基づいて伝搬振動を検出する。このような構成でも、伝搬振動を検出できる。
【０１２６】
なお、上記の実施の形態では、振動検出部として、水圧センサおよび加速度センサを用いた。しかしながら、これに限定されず、水圧センサおよび加速度センサ以外の種類のセンサを用いて、振動を検知してもよい。
【０１２７】
例えば、各実施の形態では、振動周波数取得部１３１、振動伝搬速度測定部１３２、モデルデータ計算部１３３、モデル抽出部１３４および劣化判定部１３５が同一の場所にあるかのように書かれていた。しかしながら、これらの構成が、互いに異なる場所に設けられ、その間を有線もしくは無線でつないでも良い。例えば、振動周波数取得部１３１および振動伝搬速度測定部１３２を測定対象である配管９００の近傍に設置し、モデルデータ計算部１３３、モデル抽出部１３４および劣化判定部１３５を配管９００から離れた屋内に設置し、これらを有線もしくは無線のネットワークでつないでも良い。
【０１２８】
図３では、付着物や土砂に関するパラメータを一つの記号で例示しているが、これは必ずしもそれぞれ一つのパラメータであることを意味しない。たとえば、付着物に関するパラメータは、付着物の厚さ、ヤング率、ポアソン比などから構成されうる。また、各実施の形態では、複数のパラメータのセットに対して、振動伝搬速度（音速）の周波数依存性を計算し、測定値と最も近いものを選択すると説明した。しかしながら、一般にはある計算モデルに対して、各パラメータの初期値を与え、測定値と計算値が最も良く合うようにパラメータを変化させながら計算を反復することが行われており、本発明においてもそのような手法を適用することができる。
【０１２９】
また、各実施の形態では、流体の振動を測定するために圧力センサを用いているが、圧力センサは静的な水圧を測定できるものに限らず、ハイドロフォンのようなものも含まれる。
【０１３０】
また、前述の第１〜第３の実施形態の一部又は全部は、以下のようにも記載されうるが、以下に限られない。
（付記１）
配管または前記配管内を流れる流体を伝搬する振動の周波数を、振動周波数の測定値として取得する振動周波数取得部と、
前記配管または前記配管内を流れる流体を伝搬する振動の速度を、振動伝搬速度の測定値として測定する振動伝搬速度測定部と、
前記配管に関するパラメータである設定パラメータを変化させて設定された複数のモデル毎に、前記振動周波数および前記振動伝搬速度の理論値を互いに対応つけて計算するモデルデータ計算部と、
前記振動周波数取得部により取得される複数の前記振動周波数の測定値に対応する複数の前記振動伝搬速度の理論値および測定値の比較結果に基づいて、前記複数のモデルから特定モデルを抽出するモデル抽出部と、
前記モデル抽出部により抽出された特定モデルに対応する設定パラメータに基づいて、前記配管の劣化状態を判定する劣化判定部とを備えた劣化分析装置。
（付記２）
前記設定パラメータは、前記配管のヤング率または前記配管の肉厚である付記１に記載の劣化分析装置。
（付記３）
前記設定パラメータは、前記配管内を流れる流体に関するパラメータを含む付記１または２に記載の劣化分析装置。
（付記４）
前記設定パラメータは、前記配管内に付着した付着物に関するパラメータを含む付記１〜３のいずれか１項に記載の劣化分析装置。
（付記５）
前記設定パラメータは、前記配管周辺の土砂に関するパラメータを含む付記１〜４のいずれか１項に記載の劣化分析装置。
（付記６）
前記配管に取り付けられ、前記配管または前記配管内を流れる流体に振動を加える加振部と、前記配管または前記配管内を流れる流体を伝搬する振動を伝搬振動として検出する振動検出部を備え、
前記振動伝搬速度測定部は、前記振動が前記加振部により前記配管または前記配管内を流れる流体に加えられた時間と、前記振動検出部により前記伝搬振動が検出された時間との間の時間差と、前記加振部および前記振動検出部の間の距離に基づいて、前記振動伝搬速度を測定する付記１〜５のいずれか１項に記載の劣化分析装置。
（付記７）
前記配管に取り付けられ、前記配管または前記配管内を流れる流体に伝搬する振動を伝搬振動として検出する第１および第２の振動検出部を備え、
前記振動伝搬速度測定部は、前記第１の振動検出部により前記伝搬振動が検出された時間と、前記第２の振動検出部により前記伝搬振動が検出された時間との間の時間差と、前記第１および前記第２の振動検出部の間の距離に基づいて、前記振動伝搬速度を測定する付記１〜５のいずれか１項に記載の劣化分析装置。
（付記８）
前記振動検出部は、前記配管または前記配管内を流れる流体の加速度を検出する加速度センサであって、検出される前記加速度に基づいて前記伝搬振動を検出する付記６に記載の劣化分析装置。
（付記９）
前記振動検出部は、前記配管または前記配管内を流れる流体の圧力を検出する圧力センサであって、検出される前記圧力に基づいて前記伝搬振動を検出する付記６に記載の劣化分析装置。
（付記１０）
第１または前記第２の振動検出部は、前記配管または前記配管内を流れる流体の加速度を検出する加速度センサであって、検出される前記加速度に基づいて前記伝搬振動を検出する付記７に記載の劣化分析装置。
（付記１１）
前記第１または前記第２の振動検出部は、前記配管または前記配管内を流れる流体の圧力を検出する圧力センサであって、検出される前記圧力に基づいて前記伝搬振動を検出する付記７に記載の劣化分析装置。
（付記１２）
配管または前記配管内を流れる流体を伝搬する振動の周波数を、振動周波数の測定値として取得する振動周波数取得ステップと、
前記配管または前記配管内を流れる流体を伝搬する振動の速度を、振動伝搬速度の測定値として測定する振動伝搬速度測定ステップと、
前記配管に関するパラメータである設定パラメータを変化させて設定された複数のモデル毎に、前記振動周波数および前記振動伝搬速度の理論値を互いに対応つけて計算するモデルデータ計算ステップと、
前記振動周波数取得ステップにより取得される複数の前記振動周波数の測定値に対応する複数の前記振動伝搬速度の理論値および測定値の比較結果に基づいて、前記複数のモデルから特定モデルを抽出するモデル抽出ステップと、
前記モデル抽出ステップにより抽出された特定モデルに対応する設定パラメータに基づいて、前記配管の劣化状態を判定する劣化判定ステップとを含む劣化分析方法。
（付記１３）
配管または前記配管内を流れる流体を伝搬する振動の周波数を、振動周波数の測定値として取得する振動周波数取得ステップと、
前記配管または前記配管内を流れる流体を伝搬する振動の速度を、振動伝搬速度の測定値として測定する振動伝搬速度測定ステップと、
前記配管に関するパラメータである設定パラメータを変化させて設定された複数のモデル毎に、前記振動周波数および前記振動伝搬速度の理論値を互いに対応つけて計算するモデルデータ計算ステップと、
前記振動周波数取得ステップにより取得される複数の前記振動周波数の測定値に対応する複数の前記振動伝搬速度の理論値および測定値の比較結果に基づいて、前記複数のモデルから特定モデルを抽出するモデル抽出ステップと、
前記モデル抽出ステップにより抽出された特定モデルに対応する設定パラメータに基づいて、前記配管の劣化状態を判定する劣化判定ステップとを含む処理をコンピュータに行わせる劣化分析プログラム。
（付記１４）
配管または前記配管内を流れる流体を伝搬する振動の周波数を、振動周波数の測定値として取得する振動周波数取得ステップと、
前記配管または前記配管内を流れる流体を伝搬する振動の速度を、振動伝搬速度の測定値として測定する振動伝搬速度測定ステップと、
前記配管に関するパラメータである設定パラメータを変化させて設定された複数のモデル毎に、前記振動周波数および前記振動伝搬速度の理論値を互いに対応つけて計算するモデルデータ計算ステップと、
前記振動周波数取得ステップにより取得される複数の前記振動周波数の測定値に対応する複数の前記振動伝搬速度の理論値および測定値の比較結果に基づいて、前記複数のモデルから特定モデルを抽出するモデル抽出ステップと、
前記モデル抽出ステップにより抽出された特定モデルに対応する設定パラメータに基づいて、前記配管の劣化状態を判定する劣化判定ステップとを含む処理をコンピュータに行わせる劣化分析プログラムを記憶する記憶媒体。
（付記１５）
配管または前記配管内を流れる流体を伝搬する振動の周波数を、振動周波数の測定値として取得する振動周波数取得手段と、
前記配管または前記配管内を流れる流体を伝搬する振動の速度を、振動伝搬速度の測定値として測定する振動伝搬速度測定手段と、
前記配管に関するパラメータである設定パラメータを変化させて設定された複数のモデル毎に、前記振動周波数および前記振動伝搬速度の理論値を互いに対応つけて計算するモデルデータ計算手段と、
前記振動周波数取得手段により取得される複数の前記振動周波数の測定値に対応する複数の前記振動伝搬速度の理論値および測定値の比較結果に基づいて、前記複数のモデルから特定モデルを抽出するモデル抽出手段と、
前記モデル抽出手段により抽出された特定モデルに対応する設定パラメータに基づいて、前記配管の劣化状態を判定する劣化判定手段とを備えた劣化分析装置。
（付記１６）
前記設定パラメータは、前記配管のヤング率または前記配管の肉厚である付記１５に記載の劣化分析装置。
（付記１７）
前記設定パラメータは、前記配管内を流れる流体に関するパラメータを含む付記１５または１６に記載の劣化分析装置。
（付記１８）
前記設定パラメータは、前記配管内に付着した付着物に関するパラメータを含む付記１５〜１７のいずれか１項に記載の劣化分析装置。
（付記１９）
前記設定パラメータは、前記配管周辺の土砂に関するパラメータを含む付記１５〜１８のいずれか１項に記載の劣化分析装置。
（付記２０）
前記配管に取り付けられ、前記配管または前記配管内を流れる流体に振動を加える加振手段と、前記配管または前記配管内を流れる流体を伝搬する振動を伝搬振動として検出する振動検出手段を備え、
前記振動伝搬速度測定手段は、前記振動が前記加振手段により前記配管または前記配管内を流れる流体に加えられた時間と、前記振動検出手段により前記伝搬振動が検出された時間との間の時間差と、前記加振手段および前記振動検出手段の間の距離に基づいて、前記振動伝搬速度を測定する付記１５〜１９のいずれか１項に記載の劣化分析装置。
（付記２１）
前記配管に取り付けられ、前記配管または前記配管内を流れる流体に伝搬する振動を伝搬振動として検出する第１および第２の振動検出手段を備え、
前記振動伝搬速度測定手段は、前記第１の振動検出手段により前記伝搬振動が検出された時間と、前記第２の振動検出手段により前記伝搬振動が検出された時間との間の時間差と、前記第１および前記第２の振動検出手段の間の距離に基づいて、前記振動伝搬速度を測定する付記１５〜１９のいずれか１項に記載の劣化分析装置。
（付記２２）
前記振動検出手段は、前記配管または前記配管内を流れる流体の加速度を検出する加速度センサであって、検出される前記加速度に基づいて前記伝搬振動を検出する付記２０に記載の劣化分析装置。
（付記２３）
前記振動検出手段は、前記配管または前記配管内を流れる流体の圧力を検出する圧力センサであって、検出される前記圧力に基づいて前記伝搬振動を検出する付記２０に記載の劣化分析装置。
（付記２４）
第１または前記第２の振動検出手段は、前記配管または前記配管内を流れる流体の加速度を検出する加速度センサであって、検出される前記加速度に基づいて前記伝搬振動を検出する付記２１に記載の劣化分析装置。
（付記２５）
前記第１または前記第２の振動検出手段は、前記配管または前記配管内を流れる流体の圧力を検出する圧力センサであって、検出される前記圧力に基づいて前記伝搬振動を検出する付記２１に記載の劣化分析装置。
（付記２６）
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する劣化分析方法。
（付記２７）
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
前記振動周波数取得ステップにより取得される複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する処理をコンピュータに行わせる劣化分析プログラム。
（付記２８）
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
前記振動周波数取得ステップにより取得される複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する処理をコンピュータに行わせる劣化分析プログラムを記憶する記憶媒体。
【０１３１】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【０１３２】
この出願は、２０１５年５月２９日に出願された日本出願特願２０１５−１０９６９７を基礎とする優先権を主張し、その開示の全てをここに取り込む。
【符号の説明】
【０１３３】
１００、１００Ａ、１００Ｂ    劣化分析装置
１１０    加振部
１２０    水圧センサ
１３０    処理部
１３１    振動周波数取得部
１３２    振動伝搬速度測定部
１３３    モデルデータ計算部
１３４    モデル抽出部
１３５    劣化判定部
１４０、１４０ａ、１４０ｂ    加速度センサ
７００    マンホール
９００、９００Ａ、９００Ｂ    配管
９０１    屈曲部
９１０    流体
９２０    消火栓
９４０    付着物
９５０    吐出口
９６０    電磁弁
【図１】
2016194331.tif 000003
【図２】
2016194331.tif 000004
【図３】
2016194331.tif 000005
【図４】
2016194331.tif 000006
【図５】
2016194331.tif 000007
【図６】
2016194331.tif 000008
【図７】
2016194331.tif 000009
【手続補正書】
【提出日】平成29年11月1日(2017.11.1)
【手続補正１】
【補正対象書類名】特許請求の範囲
【補正対象項目名】請求項９
【補正方法】変更
【補正の内容】
【請求項９】
配管または前記配管内を流れる流体を伝搬する振動の周波数を、振動周波数の測定値として取得し、
前記配管または前記配管内を流れる流体を伝搬する振動の速度を、振動伝搬速度の測定値として測定し、
前記配管に関するパラメータである設定パラメータを変化させて設定された複数のモデル毎に、前記振動周波数および前記振動伝搬速度の理論値を互いに対応つけて計算し、
複数の前記振動周波数の測定値に対応する複数の前記振動伝搬速度の理論値および測定値の比較結果に基づいて、前記複数のモデルから特定モデルを抽出し、
前記特定モデルに対応する設定パラメータに基づいて、前記配管の劣化状態を判定する処理をコンピュータに行わせる劣化分析プログラム。
【国際調査報告】
2016194331.tif 000010
2016194331.tif 000011
2016194331.tif 000012
2016194331.tif 000013